(57)【要約】【課題】操作が簡易で、収納後体積が巧妙に縮小し、また応用範囲が広い折り畳み式フレームを提供する。【解決手段】主に支持部と、中央部と及び少なくとも1対の固定バーとを含み、この支持部上には応用部が設置され、それを用いて応用コンポーネントを固定する。この中央部は支持部と連結し合い、少なくとも1対の凹部を有しており、各凹部はスライドチャンバー、上部開口部、パス及び下部開口部を有している。この固定バーは少なくとも1対とし、かつ反対方向に伸びる。各固定バーはストッパー部、ネック部、延伸部、フック部、ロック部品及びロック孔を有し、これによって各ロックバーが少なくとも1個の内向き縮小位置、1個の外向き延伸位置及び1個の収納位置を有する。【選択図】図１
0003134589.tif 000002
【実用新案登録請求の範囲】
【請求項１】
上部に1個の応用部が設置され、それを用いて1個の応用コンポーネントを固定する支持部と、当該支持部と連結し合い、当該中央部が少なくとも1対の凹部を有し、各凹部がスライドチャンバー、上部開口部、1個のパス及び下部開口部を有し、当該スライドチャンバーがスライド範囲及び第一幅を有し、当該上部開口部が第一幅より小さい第二幅を有し、当該パスが第一幅より小さい第三幅を有する中央部と、ストッパー部、ネック部、延伸部、フック部及びロック部品を有し、当該ストッパー部が当該第一幅よりやや小さいが当該第二幅より大きいストッパー長さを形成し、当該ストッパー長さがまた第三幅より大きく、かつ当該ストッパー部が当該スライドチャンバー内であらかじめ定められた角度で回転することができる、少なくとも1対の反対方向に伸びる固定バーと、を含む折り畳み式フレームであって、これによって、各固定バーが少なくとも1個の内向き縮小位置、1個の外向き延伸位置及び1個の収納位置を有することを特徴とする折り畳み式フレーム。
【請求項２】
当該中央部が第一プレートと、第二プレートと第三プレートとからなり、当該上部開口部が当該第一プレート上に位置し、当該スライドチャンバー及び当該パスが当該第二プレート上に位置し、当該下部開口部が当該第三プレート上に位置することを特徴とする請求項1に記載された折り畳み式フレーム。
【請求項３】
当該支持部に磁性部を設置し、かつ当該固定バーが鉄製品であることを特徴とする請求項１に記載された折り畳み式フレーム。
【考案の詳細な説明】
【技術分野】
【０００１】
本考案は折り畳み式フレームに関するものであり、特に複数個のロックまたは緩めることが可能な固定バーを有する折り畳み式フレームを指し、操作が簡単で、収納後体積が巧妙に縮小し、また応用範囲が広いという長所及び効果を兼ね備えている。
【背景技術】
【０００２】
従来の4枚式スクリーン（図中には示されていない）は一般的にすべて区画用または室内装飾用とされ、機能が限られている。画仙紙（その表に書または絵画があるもの）で囲んで第一図が示すような方形空間（スクリーン８０と言ってもよい）を作る場合、美しいとは言え、内部に照明器具を設置しにくく、光線を利用して雰囲気を作り出すことができず、さらに画仙紙上の書または絵画の光を通した特殊な美感を起こさせることができない。かりに既存の照明器具を追加装着して取り付けてこれを解決する場合、従来の方式によって直接骨組み上に固定した場合、使用者が分解または組立するのに不便であり、かつ運搬の際に体積が大き過ぎることからコストを増す結果となる。このため、新製品を研究開発して上述の欠点を解決する必要があった。
【考案の開示】
【考案が解決しようとする課題】
【０００３】
本発明の主な目的は、その操作が十分簡易である折り畳み式フレームを提供することである。本発明の次の目的は、すべての固定バーを折り畳むことができ、収納後の体積を巧妙に縮小できる折り畳み式フレームを提供することである。
本発明のもうひとつの目的は、応用範囲が広い折り畳み式フレームを提供することである。
【課題を解決するための手段】
【０００４】
本考案に係る請求項１は、上部に1個の応用部が設置され、それを用いて1個の応用コンポーネントを固定する支持部と、当該支持部と連結し合い、当該中央部が少なくとも1対の凹部を有し、各凹部がスライドチャンバー、上部開口部、1個のパス及び下部開口部を有し、当該スライドチャンバーがスライド範囲及び第一幅を有し、当該上部開口部が第一幅より小さい第二幅を有し、当該パスが第一幅より小さい第三幅を有する中央部と、ストッパー部、ネック部、延伸部、フック部及びロック部品を有し、当該ストッパー部が当該第一幅よりやや小さいが当該第二幅より大きいストッパー長さを形成し、当該ストッパー長さがまた第三幅より大きく、かつ当該ストッパー部が当該スライドチャンバー内であらかじめ定められた角度で回転することができる、少なくとも1対の反対方向に伸びる固定バーと、を含む折り畳み式フレームであって、これによって、各固定バーが少なくとも1個の内向き縮小位置、1個の外向き延伸位置及び1個の収納位置を有することを特徴とする折り畳み式フレームである。
【０００５】
本考案に係る請求項２は、請求項1に記載された折り畳み式フレームにおいて、当該中央部が第一プレート、第二プレート及び第三プレートからなり、当該上部開口部が当該第一プレート上に位置し、当該スライドチャンバー及び当該パスが当該第二プレート上に位置し、当該下部開口部が当該第三プレート上に位置することを特徴とする折り畳み式フレームである。
【０００６】
本考案に係る請求項３は、請求項1に記載された折り畳み式フレームにおいて、当該支持部に磁性部を設置し、かつ当該固定バーが鉄製品であることを特徴とする折り畳み式フレームである。
【考案の効果】
【０００７】
上記を総合すると、本考案の長所及び効果は以下のようにまとめられる。
１．操作が簡易である。本考案の各固定バーは外側に伸びまたは内側に縮むことができ、さらにロック部品と組み合わせてロックしまたは緩めて、楽に固定または分解でき、工具を必要とせず、操作が非常に容易である。
２．収納後、体積を巧妙に縮小できる。本考案は収納後、全体の体積が小さくなり（第３図参照）、箱詰め運搬または暫時の収納の際にスペースを取らない。
３．応用範囲が広い。本考案は4枚スクリーン内の照明台に応用できるだけでなく、動物かご内の照明器具またはえさ箱、室内または室外における二つの平行フレーム間の移動フレーム等にも応用可能で、応用範囲が十分広範である。
【考案を実施するための最良の形態】
【０００８】
第１、第２、第３、第４及び第５図をご参照いただきたい。本考案は折り畳み式フレームであり、それは主に、１個の支持部（１０）、1個の中央部（２０）及び少なくとも1対の固定バー（３０）を含む。
【０００９】
当該支持部（１０）に関しては、その上に応用部（１１）が設置され、それを用いて応用コンポーネント（１２）を固定する。この応用コンポーネント（１２）は電球、発光装置、電子製品、えさ箱、容器またはその他のコンポーネントであってもよい。
【００１０】
一方、当該中央部（２０）は当該支持部（１０）と連結し合い、当該中央部（２０）は少なくとも1対の凹部（２１）を有し、各凹部（２１）はスライドチャンバー（２１１）、上部開口部（２１２）、パス（２１３）、下部開口部（２１４）を有し、当該スライドチャンバー（２１１）はスライド範囲Ｓ及び第一幅Ｗ１を有し、当該上部開口部（２１２）は当該第一幅Ｗ１より小さい第二幅Ｗ２を有し、当該パス（２１３）は当該第一幅Ｗ１より小さい第三幅W３を有する。
【００１１】
当該固定バー（３０）に関しては、少なくとも１対となっており、かつ反対方向に伸びている。各固定バー（３０）はストッパー部（３１）、ネック部（３２）、延伸部（３３）、フック部（３４）、ロック部品（３５）及びロック孔（３６）を有する。当該ストッパー部（３１）は第一幅Ｗ１よりやや小さいが第二幅Ｗ２より大きいストッパー長さＬ１を形成する。当該第ストッパー長さＬ１はまた、当該第三幅Ｗ３より大きい。また、当該ストッパー部（３１）は当該スライドチャンバー（２１１）内であらかじめ定められた角度（約９０度）で回転できる。
【００１２】
このため、各固定バー（３０）は少なくとも1個の内向き縮小位置Ｐ１、１個の外向き延伸位置Ｐ２及び1個の収納位置Ｐ３を有する（第６、第７七及び第８図参照）。当該中央部（２０）は一体成型（図には示されていない）であってもよく、または第一プレート（２０Ａ）、第二プレート（２０Ｂ）及び第三プレート（２０Ｃ）の組み合わせであってもよい。各プレートの厚さは、それぞれ第一厚さＴ１、第二厚さＴ２及び第三厚さＴ３である。このとき、当該上部開口部（２１２）は当該第一プレート（２０Ａ）上に位置し、当該スライドチャンバー（２１１）及び当該パス（２１３）は当該第二プレート（２０Ｂ）上に位置し、当該下部開口部（２１４）は第三プレート（２０Ｃ）上に位置する。第５図に示されたように、当該固定バー（３０）は第四厚さＴ４を有しており、それは第二厚さＴ２より小さく、当該固定バー（３０）の回転を邪魔しないものとしなければならない。
【００１３】
当然ながら、本考案の支持部（１０）はさらに1個の磁性部（１３）を増設し、かつ当該固定バー（３０）が鉄製品となっているものであってもよい。当該固定バー（３０）が収納位置Ｐ３に位置する場合、自動的に磁性部（１３）によって吸い付けられて固定することができ、簡単には脱落しないのは、第３図に示されたとおりである。
【００１４】
本考案の使用方式に関しては、第２図、第４図、第６図及び第７図をご参照いただきたい。最初に、スクリーン（８０）（第１図参照）を組み立てようとする場合、まず本考案の複数個の固定バー（３０）を開いて第２図に示すように外向きに伸ばし広げ、最外端のフック部（３４）を対応する骨組み（８１）上にフックし、その後、複数個の固定バー（３０）を内側に縮め、フック部（３４）を対応する骨組み（８１）にしっかりフックしてから、当該ロック部品（３５）を当該ロック孔（３６）にしっかりロックする。この動作を繰り返せば、すべての固定バー（３０）をしっかり固定することができ、さらにスクリーン（８０）全体（第１図参照）が安定して固定される。
【００１５】
分解して収納したい場合は、まず当該ロック部品（３５）をひとつひとつ回して緩め、固定バー（３０）をまず外向きに伸び広げて骨組み（８１）から外し、その後取り出せばよい。それから、第８図のように、各固定バー（３０）を上向きに旋回させ、最後に第３図に示すような状態を形成し、各固定バー（３０）はすべて自動的に当該支持部（１０）の磁性部（１３）上に吸い付けられる。
【００１６】
実務上、各固定バー（３０）のストッパー部（３１）はプレート構造（第５図参照）である以外に、シャフトバー構造（第９図参照）であってもよい。
【００１７】
以上は比較的優れた実施例によって本考案を詳細に説明しただけのものであり、当該実施例に対してなしたいかなる簡単な修正及び変化も、すべて本考案の精神及び範囲から離脱するものではない。
【図面の簡単な説明】
【００１８】
【図１】本考案を1個のスクリーンに応用した略図である。
【図２】本考案の使用時の略図である。
【図３】本考案の収納時の略図である。
【図４】本考案の分解立体図である。
【図５】本考案の局部略図である。
【図６】本考案の固定バーが内向き縮小位置にあるときの略図である。
【図７】本考案の固定バーが外向き延伸位置にあるときの略図である。
【図８】本考案の収納動作の略図である。
【図９】本考案の固定バーのもうひとつの実施例の略図である。
【符号の説明】
【００１９】
（１０）支持部                                                 
（１１）応用部
（１２）応用コンポーネント                 
（１３）磁性部
（２０）中央部                                                 
（２０Ａ）第一プレート
（２０Ｂ）第二プレート                        
（２０Ｃ）第三プレート
（２１）凹部                                                     
（２１１）スライドチャンバー
（２１２）上部開口部                                       
（２１３）パス
（２１４）下部開口部                                       
（３０）固定バー
（３１）ストッパー部                           
（３２）ネック部
（３３）延伸部                                                 
（３４）フック部
（３５）ロック部品                                          
（３６）ロック孔
（８０）スクリーン                                          
（８１）骨組み
Ｓスライド範囲                                  
Ｗ１第一幅
Ｗ２第二幅                                                     
Ｗ３第三幅
Ｌ１ストッパー長さ                           
Ｔ１第一厚さ
Ｔ２第二厚さ                                      
Ｔ３第三厚さ
Ｔ４第四厚さ                                      
Ｐ１内向き縮小位置
Ｐ２外向き延伸位置                           
Ｐ３収納位置
【図１】
0003134589.tif 000003
【図２】
0003134589.tif 000004
【図３】
0003134589.tif 000005
【図４】
0003134589.tif 000006
【図５】
0003134589.tif 000007
【図６】
0003134589.tif 000008
【図７】
0003134589.tif 000009
【図８】
0003134589.tif 000010
【図９】
0003134589.tif 000011
【手続補正書】
【提出日】平成19年6月20日(2007.6.20)
【手続補正１】
【補正対象書類名】実用新案登録請求の範囲
【補正対象項目名】請求項１
【補正方法】変更
【補正の内容】
【請求項１】
上部に1個の取付部が設置され、それを用いて1個の電球、発光装置、電子製品、えさ箱、
容器などのオプションパーツを固定する支持部と、当該支持部と連結し合い、少なくとも1対の凹部を有し、各凹部がスライドチャンバー、上部開口部、1個のパス及び下部開口部を有し、当該スライドチャンバーがスライド範囲及び第一幅を有し、当該上部開口部が第一幅より小さい第二幅を有し、当該パスが第一幅より小さい第三幅を有する中央部と、ストッパー部、ネック部、延伸部、フック部及びロック部品を有し、当該ストッパー部が当該第一幅よりやや小さいが当該第二幅より大きいストッパー長さを形成し、当該ストッパー長さがまた第三幅より大きく、かつ当該ストッパー部が当該スライドチャンバー内であらかじめ定められた角度で回転することができる、少なくとも1対の反対方向に伸びる固定バーと、を含む折り畳み式フレームであって、これによって、各固定バーが少なくとも1個の内向き縮小位置、1個の外向き延伸位置及び1個の収納位置を有することを特徴とする折り畳み式フレーム。
【手続補正２】
【補正対象書類名】明細書
【補正対象項目名】０００３
【補正方法】変更
【補正の内容】
【０００３】
本考案の主な目的は、その操作が十分簡易である折り畳み式フレームを提供することである。本考案の次の目的は、すべての固定バーを折り畳むことができ、収納後の体積を巧妙に縮小できる折り畳み式フレームを提供することである。
本考案のもうひとつの目的は、応用範囲が広い折り畳み式フレームを提供することである。
【手続補正３】
【補正対象書類名】明細書
【補正対象項目名】０００４
【補正方法】変更
【補正の内容】
【０００４】
本考案に係る請求項１は、上部に1個の取付部が設置され、それを用いて1個のオプションパーツを固定する支持部と、当該支持部と連結し合い、当該中央部が少なくとも1対の凹部を有し、各凹部がスライドチャンバー、上部開口部、1個のパス及び下部開口部を有し、当該スライドチャンバーがスライド範囲及び第一幅を有し、当該上部開口部が第一幅より小さい第二幅を有し、当該パスが第一幅より小さい第三幅を有する中央部と、ストッパー部、ネック部、延伸部、フック部及びロック部品を有し、当該ストッパー部が当該第一幅よりやや小さいが当該第二幅より大きいストッパー長さを形成し、当該ストッパー長さがまた第三幅より大きく、かつ当該ストッパー部が当該スライドチャンバー内であらかじめ定められた角度で回転することができる、少なくとも1対の反対方向に伸びる固定バーと、を含む折り畳み式フレームであって、これによって、各固定バーが少なくとも1個の内向き縮小位置、1個の外向き延伸位置及び1個の収納位置を有することを特徴とする折り畳み式フレームである。
【手続補正４】
【補正対象書類名】明細書
【補正対象項目名】０００９
【補正方法】変更
【補正の内容】
【０００９】
当該支持部（１０）に関しては、その上に取付部（１１）が設置され、それを用いてオプションパーツ（１２）を固定する。このオプションパーツ（１２）は電球、発光装置、電子製品、えさ箱、容器またはその他のパーツであってもよい。
【手続補正５】
【補正対象書類名】明細書
【補正対象項目名】００１９
【補正方法】変更
【補正の内容】
【００１９】
（１０）支持部
（１１）取付部
（１２）オプションパーツ
（１３）磁性部
（２０）中央部
（２０Ａ）第一プレート
（２０Ｂ）第二プレート
（２０Ｃ）第三プレート
（２１）凹部
（２１１）スライドチャンバー
（２１２）上部開口部
（２１３）パス
（２１４）下部開口部
（３０）固定バー
（３１）ストッパー部
（３２）ネック部
（３３）延伸部
（３４）フック部
（３５）ロック部品
（３６）ロック孔
（８０）スクリーン
（８１）骨組み
Ｓスライド範囲
Ｗ１第一幅
Ｗ２第二幅
Ｗ３第三幅
Ｌ１ストッパー長さ
Ｔ１第一厚さ
Ｔ２第二厚さ
Ｔ３第三厚さ
Ｔ４第四厚さ
Ｐ１内向き縮小位置
Ｐ２外向き延伸位置
Ｐ３収納位置